【手続補正書】
【提出日】平成27年12月15日(2015.12.15)
【手続補正１】
【補正対象書類名】特許請求の範囲
【補正対象項目名】全文
【補正方法】変更
【補正の内容】
【特許請求の範囲】
【請求項１】
金融商品の売買取引を管理する金融商品取引管理装置であって、
前記金融商品の売買注文を行うための売買注文申込情報を受け付ける注文入力受付手段と、
前記金融商品の相場価格情報を取得する価格情報受信手段と、
該注文入力受付手段が受け付けた前記売買注文申込情報及び前記価格情報受信手段が取得した前記相場価格情報に基づいて金融商品の注文情報を生成する注文情報生成手段とを備え、
前記注文情報生成手段は、
一の前記売買注文申込情報に基づいて、前記注文情報として、同一種類の前記金融商品を一の価格で買い注文する買い注文情報と該買い注文情報の対象となっている前記金融商品を他の価格で売り注文する売り注文情報とからなる注文情報群を生成し、個々の前記注文情報にはそれぞれ特定の約定価格の情報を設け、
それぞれの前記注文情報群において、該注文情報群を形成する前記買い注文情報を前記約定の順序としての優先順位の高い第一注文とすると共に、前記売り注文情報を前記約定の順序としての優先順位の低い第二注文とし、
所定の時間帯の直前の価格から前記所定の時間帯の直後の価格までの価格幅に存在する前記注文情報群について、前記価格情報受信手段が取得した前記時間帯の直後の前記相場価格情報が前記注文情報群の価格よりも高い場合には、前記注文情報群を取り消す処理を行うことを特徴とする金融商品取引管理装置。
【請求項２】
金融商品の売買取引を管理する金融商品取引管理装置であって、
前記金融商品の売買注文を行うための売買注文申込情報を受け付ける注文入力受付手段と、
前記金融商品の相場価格情報を取得する価格情報受信手段と、
該注文入力受付手段が受け付けた前記売買注文申込情報及び前記価格情報受信手段が取得した前記相場価格情報に基づいて金融商品の注文情報を生成する注文情報生成手段とを備え、
前記注文情報生成手段は、
一の前記売買注文申込情報に基づいて、前記注文情報として、同一種類の前記金融商品を一の価格で売り注文する売り注文情報と該売り注文情報の対象となっている前記金融商品を他の価格で買い注文する買い注文情報とからなる注文情報群を生成し、個々の前記注文情報にはそれぞれ特定の約定価格の情報を設け、
それぞれの前記注文情報群において、該注文情報群を形成する前記売り注文情報を前記約定の順序としての優先順位の高い第一注文とすると共に、前記買い注文情報を前記約定の順序としての優先順位の低い第二注文とし、
所定の時間帯の直前の価格から前記所定の時間帯の直後の価格までの価格幅に存在する前記注文情報群について、前記価格情報受信手段が取得した前記時間帯の直後の前記相場価格情報が前記注文情報群の価格よりも低い場合には、前記注文情報群を取り消す処理を行うことを特徴とする金融商品取引管理装置。
【請求項３】
前記注文情報生成手段は、一の前記売買注文申込情報に基づいて、同一種類の前記金融商品をそれぞれ一の価格について指値注文する、前記第一注文の前記注文情報を複数含む前記注文情報群を生成することを特徴とする請求項１又は２に記載の金融商品取引管理装置。
【請求項４】
前記注文情報生成手段は、一の前記売買注文申込情報に基づいて一の価格帯の注文情報群を複数生成することを特徴とする請求項１又は２に記載の金融商品取引管理装置。
【請求項５】
前記注文情報生成手段は、一の売買注文申込情報に基づいて、複数の価格帯の注文情報群をそれぞれの前記価格帯において複数生成することを特徴とする請求項１又は２に記載の金融商品取引管理装置。
【請求項６】
前記注文情報生成手段が生成した前記注文情報を記録する注文情報記録手段を備えたことを特徴とする請求項１乃至５の何れか一つに記載の金融商品取引管理装置。
【請求項７】
前記注文情報生成手段は、個々の前記注文情報毎に、有効な注文情報と無効な注文情報とを識別するための有効無効識別情報と、前記第一注文であることを示す第一注文識別情報及び前記第二注文であることを示す第二注文識別情報とを設け、前記注文情報群が生成された状態において、前記第一注文としての前記注文情報を有効な前記注文情報とする有効情報識別情報が付与された状態とすると共に、前記第二注文としての前記注文情報及び逆指値注文情報を無効な前記注文情報とすることを特徴とする請求項１乃至６の何れか一つに記載の金融商品取引管理装置。
【請求項８】
前記注文情報に基づいて前記金融商品の約定を行う約定情報生成手段を備え、
該約定情報生成手段は、一の前記注文情報群を形成する前記第一注文としての注文情報が約定された場合には前記第二注文としての前記注文情報及び前記逆指値注文情報を無効な注文情報から有効な注文情報とすると共に、該有効な注文情報とされた前記第二注文としての注文情報が約定した場合には前記一の注文情報群を再度生成することを特徴とする請求項７に記載の金融商品取引管理装置。
【請求項９】
前記約定情報生成手段は、前記第一注文識別情報が付与された第一順位の注文情報及び前記第二注文識別情報が付与された第二順位の注文情報を約定する際にスリッページが発生した場合であっても前記第一順位の注文情報及び前記第二順位の注文情報の約定を行うことを特徴とする請求項８に記載の金融商品取引管理装置。
【請求項１０】
前記注文情報群は、前記注文情報生成手段が生成した前記注文情報を記録する注文情報記録手段に記録され、
前記約定情報生成手段は、前記逆指値注文情報に基づいて約定を行った場合、該逆指値注文情報を生成した前記売買注文申込情報に基づいて生成される注文情報群のうち、前記逆指値注文情報の約定時点で未生成である前記注文情報群を全て前記注文情報記録手段から消去するキャンセル処理を行うことを特徴とする請求項８又は９に記載の金融商品取引管理装置。
【請求項１１】
前記注文情報群は、前記注文情報生成手段が生成した前記注文情報を記録する注文情報記録手段に記録され、
前記約定情報生成手段は、一旦生成された前記金融商品の注文を取り消す要求としてのキャンセル要求があった場合、該キャンセル要求のあった注文に関する前記注文情報が含まれる前記注文情報群を抽出し、該注文情報群に含まれる約定前の前記注文情報を全て前記注文情報記録手段から消去するキャンセル処理を行うことを特徴とする請求項８乃至１０の何れか一つに記載の金融商品取引管理装置。
【請求項１２】
前記注文情報群には、前記買い注文情報及び前記売り注文情報の対象となっている前記金融商品を更に他の価格について逆指値注文する逆指値注文情報が含まれることを特徴とする請求項１乃至１１の何れか一つに記載の金融商品取引管理装置。
【請求項１３】
前記逆指値注文情報は、決済の逆指値注文の注文情報として生成されることを特徴とする請求項１２に記載の金融商品取引管理装置。
【請求項１４】
顧客の預金残高情報としての証拠金情報を管理する口座情報生成手段と、
前記金融商品の取引に必要な証拠金の額を算出する証拠金金額算出手段とを備え、
該証拠金金額算出手段は、証拠金の算出時に発生しうるスリッページの修正を含めた態様で前記証拠金の算出を行い、前記注文情報生成手段は、前記口座情報生成手段が取得した前記証拠金情報が前記証拠金金額算出手段が算出した前記証拠金の金額以上である場合には、前記注文情報群の生成を行うことを特徴とする請求項１乃至１３の何れか一つに記載の金融商品取引管理装置。
【請求項１５】
前記注文情報生成手段が一の前記売買注文申込情報に基づいて生成する前記注文情報群は、一の前記注文情報群を形成する前記金融商品の商品数が一定であり、複数の価格帯の前記注文情報群における前記買い注文情報同士の値幅及び前記売り注文情報同士の値幅がそれぞれ一定であることを特徴とする請求項１乃至１４の何れか一つに記載の金融商品取引管理装置。
【請求項１６】
コンピュータを請求項１乃至１５の何れか一つに記載の金融商品取引管理装置として機能させることを特徴とするプログラム。
【手続補正２】
【補正対象書類名】明細書
【補正対象項目名】０００６
【補正方法】変更
【補正の内容】
【０００６】
かかる課題を解決するため、請求項１に記載の発明は、金融商品の売買取引を管理する金融商品取引管理装置であって、前記金融商品の売買注文を行うための売買注文申込情報を受け付ける注文入力受付手段と、前記金融商品の相場価格情報を取得する価格情報受信手段と、該注文入力受付手段が受け付けた前記売買注文申込情報及び前記価格情報受信手段が取得した前記相場価格情報に基づいて金融商品の注文情報を生成する注文情報生成手段とを備え、前記注文情報生成手段は、一の前記売買注文申込情報に基づいて、前記注文情報として、同一種類の前記金融商品を一の価格で買い注文する買い注文情報と該買い注文情報の対象となっている前記金融商品を他の価格で売り注文する売り注文情報とからなる注文情報群を生成し、個々の前記注文情報にはそれぞれ特定の約定価格の情報を設け、それぞれの前記注文情報群において、該注文情報群を形成する前記買い注文情報を前記約定の順序としての優先順位の高い第一注文とすると共に、前記売り注文情報を前記約定の順序としての優先順位の低い第二注文とし、所定の時間帯の直前の価格から前記所定の時間帯の直後の価格までの価格幅に存在する前記注文情報群について、前記価格情報受信手段が取得した前記時間帯の直後の前記相場価格情報が前記注文情報群の価格よりも高い場合には、前記注文情報群を取り消す処理を行うことを特徴とする。
【手続補正３】
【補正対象書類名】明細書
【補正対象項目名】０００７
【補正方法】変更
【補正の内容】
【０００７】
請求項２に記載の発明は、金融商品の売買取引を管理する金融商品取引管理装置であって、前記金融商品の売買注文を行うための売買注文申込情報を受け付ける注文入力受付手段と、前記金融商品の相場価格情報を取得する価格情報受信手段と、該注文入力受付手段が受け付けた前記売買注文申込情報及び前記価格情報受信手段が取得した前記相場価格情報に基づいて金融商品の注文情報を生成する注文情報生成手段とを備え、前記注文情報生成手段は、一の前記売買注文申込情報に基づいて、前記注文情報として、同一種類の前記金融商品を一の価格で売り注文する売り注文情報と該売り注文情報の対象となっている前記金融商品を他の価格で買い注文する買い注文情報とからなる注文情報群を生成し、個々の前記注文情報にはそれぞれ特定の約定価格の情報を設け、それぞれの前記注文情報群において、該注文情報群を形成する前記売り注文情報を前記約定の順序としての優先順位の高い第一注文とすると共に、前記買い注文情報を前記約定の順序としての優先順位の低い第二注文とし、所定の時間帯の直前の価格から前記所定の時間帯の直後の価格までの価格幅に存在する前記注文情報群について、前記価格情報受信手段が取得した前記時間帯の直後の前記相場価格情報が前記注文情報群の価格よりも低い場合には、前記注文情報群を取り消す処理を行うことを特徴とする。